(57)【要約】  データ通信及び処理システム及び方法。ホームコンピュータユニットは、無線部分を有する通信パスを介し可動ユニットと双方向通信を行う。ホームコンピュータユニットは、通信パスを介し可動ユニットから信号を受信する。この信号は、可動ユニットによるホームコンピュータユニットからの情報へのリクエストを有する。ホームコンピュータユニットは、リクエストされた情報をデータソースから抽出する。この抽出されたリクエスト情報が通信パスに関する帯域幅制約を満たさないか、あるいは可動ユニットの利用可能なメモリに適合しない場合、ホームコンピュータユニットはこのリクエスト情報を帯域幅制約を満たし、かつ可動ユニットの利用可能なメモリに適合するダウンサイズ情報に再構成する。この再構成処理はマルチメディア辞書が利用される。そして、ホームコンピュータユニットは、このダウンサイズ情報を通信パスを介し可動ユニットに送信する。
2005512214.tif 000002
【特許請求の範囲】
【請求項１】
ホームコンピュータユニットと、
可動ユニットとを有するデータの通信及び処理のためのシステムであって、前記ホームコンピュータユニットは前記可動ユニットと通信パスを介し双方向通信を行うよう適応され、前記通信パスの一部は無線であり、前記ホームコンピュータユニットは前記可動ユニットにより前記通信パスを介し前記ホームコンピュータユニットに送信される少なくとも１つの信号を受信するよう適応され、前記少なくとも１つの信号は前記可動ユニットによる前記ホームコンピュータユニットからの情報のリクエストを有し、前記ホームコンピュータユニットは前記リクエストされた情報をデータソースから抽出するよう適応され、前記抽出されたリクエストされた情報が、前記通信パスに関する帯域幅制約を満たさないか、あるいは前記可動ユニットの利用可能なメモリに適合しない場合、前記ホームコンピュータユニットは前記帯域幅制約を満たし、かつ前記可動ユニットの利用可能なメモリ内に適合するように、前記抽出されたリクエストされた情報のダウンサイズ情報への再構成処理を有効にするよう適応され、前記ホームコンピュータユニットは前記通信パスを介し前記ダウンサイズ情報を前記可動ユニットに送信するよう適応されることを特徴とするシステム。
【請求項２】
請求項１記載のシステムであって、前記無線である通信パスの一部は前記通信パス全体を有することを特徴とするシステム。
【請求項３】
請求項１記載のシステムであって、前記少なくとも１つの信号は前記帯域幅制約の詳細を有することを特徴とするシステム。
【請求項４】
請求項１記載のシステムであって、前記少なくとも１つの信号は前記可動ユニットの利用可能なメモリの詳細を有することを特徴とするシステム。
【請求項５】
請求項１記載のシステムであって、前記データソースは前記ホームコンピュータユニットの外部のデータベースと映像データソースの少なくとも１つを有することを特徴とするシステム。
【請求項６】
請求項１記載のシステムであって、前記再構成処理は前記リクエストされた情報のモダリティのイントラモダリティ再構成処理を有することを特徴とするシステム。
【請求項７】
請求項６記載のシステムであって、前記モダリティは視覚モダリティを有することを特徴とするシステム。
【請求項８】
請求項６記載のシステムであって、前記モダリティは画像を有する視覚モダリティを有し、前記イントラモダリティ再構成処理は前記画像の一部からの階層化モザイクの生成を有することを特徴とするシステム。
【請求項９】
請求項６記載のシステムであって、前記モダリティは画像を有する視覚モダリティを有し、前記イントラモダリティ再構成処理は前記画像の一部のアニメーション化を有することを特徴とするシステム。
【請求項１０】
請求項９記載のシステムであって、前記アニメーション化は前記画像の一部の属性のスムーズ化を有し、前記属性はカラー、明るさ及びテクスチャの少なくとも１つであることを特徴とするシステム。
【請求項１１】
請求項６記載のシステムであって、前記モダリティは視覚モダリティを有し、前記視覚モダリティは画像を有し、前記イントラモダリティ再構成処理は前記画像の一部のアイコン化を有することを特徴とするシステム。
【請求項１２】
請求項６記載のシステムであって、前記モダリティは音声モダリティを有することを特徴とするシステム。
【請求項１３】
請求項６記載のシステムであって、前記モダリティはテキストモダリティを有することを特徴とするシステム。
【請求項１４】
請求項１記載のシステムであって、前記再構成処理は第１モダリティの第２モダリティへのクロスモダリティ再構成処理を有することを特徴とするシステム。
【請求項１５】
請求項１４記載のシステムであって、前記第１モダリティは視覚モダリティを有し、前記第２モダリティはテキストモダリティを有することを特徴とするシステム。
【請求項１６】
請求項７または１５記載のシステムであって、前記視覚モダリティは映像モダリティを有することを特徴とするシステム。
【請求項１７】
請求項７または１５記載のシステムであって、前記視覚モダリティはグラフィックスモダリティを有することを特徴とするシステム。
【請求項１８】
請求項１記載のシステムであって、前記ホームコンピュータユニットはコンパクトコンテンツエントリにマッピングされる参照コンテンツエントリを有するマルチメディア辞書の利用により前記ダウンサイズ情報のモダリティを決定するよう適応され、前記抽出されたリクエストされた情報は前記参照コンテンツエントリに関し、前記ダウンサイズ情報は前記コンパクトコンテンツエントリに関することを特徴とするシステム。
【請求項１９】
データを通信及び処理するための方法であって、
ホームコンピュータユニットを提供するステップと、
前記ホームコンピュータユニットにより、無線部分を有する通信パスを介し可動ユニットと双方向通信を行うステップと、
前記ホームコンピュータユニットにより、前記通信パスを介し前記可動ユニットにより前記ホームコンピュータユニットに送信される前記可動ユニットによる前記ホームコンピュータユニットからの情報に対するリクエストを有する少なくとも１つの信号を受信するステップと、
前記ホームコンピュータユニットにより、前記リクエストされた情報をデータソースから抽出するステップと、
前記抽出されたリクエストされた情報が前記通信パスに関する帯域幅制約を満たさないか、あるいは前記可動ユニットの利用可能なメモリに適合しない場合、前記ホームコンピュータユニットにより、前記抽出されたリクエストされた情報を前記帯域幅制約を満たし、かつ前記可動ユニットの利用可能なメモリに適合するダウンサイズ情報に再構成処理するステップと、
前記ホームコンピュータユニットにより、前記ダウンサイズ情報を前記通信パスを介し前記可動ユニットに送信するステップとを有することを特徴とする方法。
【請求項２０】
請求項１９記載の方法であって、前記無線である通信パスの一部は前記通信パス全体を有することを特徴とする方法。
【請求項２１】
請求項１９記載の方法であって、前記少なくとも１つの信号は前記帯域幅制約の詳細を有することを特徴とする方法。
【請求項２２】
請求項１９記載の方法であって、前記少なくとも１つの信号は前記可動ユニットの利用可能なメモリの詳細を有することを特徴とする方法。
【請求項２３】
請求項１９記載の方法であって、前記データソースは前記ホームコンピュータユニットの外部のデータベース、インターネット及び映像データソースの少なくとも１つを有することを特徴とする方法。
【請求項２４】
請求項１９記載の方法であって、前記再構成処理は前記リクエストされた情報のモダリティのイントラモダリティ再構成処理を有することを特徴とする方法。
【請求項２５】
請求項２４記載の方法であって、前記モダリティは視覚モダリティを有することを特徴とする方法。
【請求項２６】
請求項２４記載の方法であって、前記モダリティは画像を有する視覚モダリティを有し、前記イントラモダリティ再構成処理は前記画像の一部からの階層化モザイクの生成を有することを特徴とする方法。
【請求項２７】
請求項２４記載の方法であって、前記モダリティは画像を有する視覚モダリティを有し、前記イントラモダリティ再構成処理は前記画像の一部のアニメーション化を有することを特徴とする方法。
【請求項２８】
請求項２７記載の方法であって、前記アニメーション化は前記画像の一部の属性のスムーズ化を有し、前記属性はカラー、明るさ及びテクスチャの少なくとも１つであることを特徴とする方法。
【請求項２９】
請求項２４記載の方法であって、前記モダリティは視覚モダリティを有し、前記視覚モダリティは画像を有し、前記イントラモダリティ再構成処理は前記画像の一部のアイコン化を有することを特徴とする方法。
【請求項３０】
請求項２４記載の方法であって、前記モダリティは音声モダリティを有することを特徴とする方法。
【請求項３１】
請求項２４記載の方法であって、前記モダリティはテキストモダリティを有することを特徴とする方法。
【請求項３２】
請求項１９記載の方法であって、前記再構成処理は第１モダリティの第２モダリティへのクロスモダリティ再構成処理を有することを特徴とする方法。
【請求項３３】
請求項３２記載の方法であって、前記第１モダリティは視覚モダリティを有し、前記第２モダリティはテキストモダリティを有することを特徴とする方法。
【請求項３４】
請求項２５または３３記載の方法であって、前記視覚モダリティは映像モダリティを有することを特徴とする方法。
【請求項３５】
請求項２５または３３記載の方法であって、前記視覚モダリティはグラフィックスモダリティを有することを特徴とする方法。
【請求項３６】
請求項１９記載の方法であって、前記再構成処理はコンパクトコンテンツエントリにマッピングされる参照コンテンツエントリを有するマルチメディア辞書を利用し、前記抽出されたリクエストされた情報は前記参照コンテンツエントリに関し、前記ダウンサイズ情報は前記コンパクトコンテンツエントリに関することを特徴とする方法。
【請求項３７】
請求項１９記載の方法であって、前記再構成処理は該再構成処理によりどのダウンサイズ情報が生成されるか決定することを有し、該決定は、
前記ホームコンピュータユニットにより、Ｎ（Ｎ≧１）個の可能なダウンサイズ情報を確認するステップと、
Ｎ＝１の場合、前記確認された可能なダウンサイズ情報が前記再構成処理により生成されるダウンサイズ情報であると決定するステップと、
Ｎ＞１の場合、好適なダウンサイズ情報が前記再構成処理により生成されるよう、前記Ｎ個の可能なダウンサイズ情報から前記好適なダウンサイズ情報の前記可動ユニットによる選択リクエストを有するクエリ信号を前記通信パスを介し前記可動ユニットに前記ホームコンピュータユニットにより送信するステップと、
前記ホームコンピュータユニットにより、前記好適なダウンサイズ情報を特定するクエリリターン信号を前記通信パスを介し前記可動ユニットから受信するステップとを有することを特徴とする方法。
【請求項３８】
請求項１９記載の方法であって、前記再構成処理は該再構成処理によりどのダウンサイズ情報が生成されるか決定することを有し、該決定は、
前記ホームコンピュータユニットにより、各自がＢ１，Ｂ２，…，ＢＮのビットサイズを有するＮ（Ｎ≧１）個の可能なダウンサイズ情報Ｍ１，Ｍ２，…，ＭＮを確認するステップと、
Ｎ＝１の場合、Ｍ１が前記再構成処理により生成されるダウンサイズ情報であると決定するステップと、
Ｎ＞１の場合、Ｂｋ（ｋは１，２，…，Ｎの１つ）がＢ１，Ｂ２，…，ＢＮの最小値となるよう、前記再構成処理により生成されるダウンサイズ情報としてＭｋを選択するステップとを有することを特徴とする方法。
【請求項３９】
請求項１９記載の方法であって、前記再構成処理は該再構成処理によりどのダウンサイズ情報が生成されるか決定することを有し、該決定は、
前記ホームコンピュータユニットにより、各自がＢ１，Ｂ２，…，ＢＮのビットサイズを有するＮ（Ｎ≧１）個の可能なダウンサイズ情報Ｍ１，Ｍ２，…，ＭＮを確認するステップと、
Ｎ＝１の場合、Ｍ１が前記再構成処理により生成されるダウンサイズ情報であると決定するステップと、
Ｎ＞１の場合、Ｂｋ（ｋは１，２，…，Ｎの１つ）がＢ１，Ｂ２，…，ＢＮの最大値となるよう、前記再構成処理により生成されるダウンサイズ情報としてＭｋを選択するステップとを有することを特徴とする方法。
【請求項４０】
コンパクトコンテンツエントリにマッピングされる参照コンテンツエントリを有するマルチメディア辞書であって、前記マルチメディア辞書はホームコンピュータユニットに接続され、前記ホームコンピュータユニットは通信パスを介し可動ユニットと双方向通信するよう適応され、前記通信パスの一部は無線であり、前記ホームコンピュータユニットは前記可動ユニットにより前記通信パスを介し前記ホームコンピュータユニットに送信される少なくとも１つの信号を受信するよう適応され、前記少なくとも１つの信号は前記可動ユニットによる前記ホームコンピュータユニットからの情報へのリクエストを有し、前記ホームコンピュータユニットは前記リクエストされた情報をデータソースから抽出するよう適応され、前記抽出されたリクエストされた情報が前記通信パスに関する帯域幅制約を満たさないか、あるいは前記可動ユニットの利用可能なメモリに適合しない場合、前記ホームコンピュータユニットは前記抽出されたリクエストされた情報の前記帯域幅制約を満たし、かつ前記可動ユニットの利用可能なメモリに適合するダウンサイズ情報への再構成処理を有効にするよう適応され、前記ホームコンピュータユニットは前記ダウンサイズ情報を前記通信パスを介し前記可動ユニットに送信するよう適応され、前記ホームコンピュータユニットは前記マルチメディア辞書を利用することにより前記ダウンサイズ情報のモダリティを決定するよう適応され、前記抽出されたリクエストされた情報は前記マルチメディア辞書の参照コンテンツエントリの第１参照コンテンツエントリに関し、前記ダウンサイズ情報は前記第１参照コンテンツエントリが第１コンパクトコンテンツエントリにマッピングされるよう、前記マルチメディア辞書のコンパクトコンテンツエントリの前記第１コンパクトコンテンツエントリに関することを特徴とするマルチメディア辞書。
【請求項４１】
データの通信及び処理のためのシステムでの利用のためのホームコンピュータユニットであって、該ホームコンピュータユニットは通信パスを介し可動ユニットと双方向通信を行うよう適応され、前記通信パスの一部は無線であり、前記ホームコンピュータユニットは前記可動ユニットにより前記通信パスを介し前記ホームコンピュータユニットに少なくとも１つの信号を受信するよう適応され、前記少なくとも１つの信号は前記可動ユニットによる前記ホームコンピュータユニットからの情報へのリクエストを有し、前記ホームコンピュータユニットは前記リクエストされた情報をデータソースから抽出するよう適応され、前記抽出されたリクエストされた情報が前記通信パスに関する帯域幅制約を満たさないか、あるいは前記可動ユニットの利用可能なメモリに適合しない場合、前記ホームコンピュータユニットは前記抽出されたリクエストされた情報の前記帯域幅制約を満たし、前記可動ユニットの利用可能なメモリに適合するダウンサイズ情報への再構成処理を有効にするよう適応され、前記ホームコンピュータユニットは前記ダウンサイズ情報を前記通信パスを介し前記可動ユニットに送信するよう適応される。
【発明の詳細な説明】
【発明の詳細な説明】
【０００１】
本発明は、データ通信及び処理システム及び方法に関する。ホームコンピュータユニットは、無線部分を有する通信パスを介し可動ユニットとの双方向通信を行う。ホームコンピュータユニットは通信パスを介し可動ユニットから信号を受信する。この信号は、ホームコンピュータユニットからの情報の可動ユニットによるリクエストを有する。ホームコンピュータユニットは、リクエストされた情報をデータソースから抽出する。抽出されたリクエスト情報が通信パスに関する帯域幅制約を満足していない場合、あるいは可動ユニットの利用可能なメモリに適合しない場合、ホームコンピュータユニットは帯域幅制約を満足し、可動ユニットの利用可能なメモリに適合するようにリクエストされた情報をダウンサイズ情報に再構成する。それからホームコンピュータユニットは、通信パスを介しこのコンパクト化された情報を可動ユニットに送信する。
【０００２】
異なるコンピュータシステムの間のデータ通信は、このようなデータ通信を非効率、不正確あるいは低速にさえする非互換性を有するかもしれない。従って、データ通信が効率的、正確、そして遅すぎなくなるよう異なるコンピュータシステムの間のデータ通信システム及び方法の必要性がある。
【０００３】
本発明は、ホームコンピュータユニットを有するデータの通信及び処理のためのシステムを提供することであり、前記ホームコンピュータユニットは可動ユニットと通信パスを介し双方向通信を行うよう適応され、前記通信パスの一部は無線であり、前記ホームコンピュータユニットは前記可動ユニットにより前記通信パスを介し前記ホームコンピュータユニットに送信される少なくとも１つの信号を受信するよう適応され、前記少なくとも１つの信号は前記可動ユニットによる前記ホームコンピュータユニットからの情報のリクエストを有し、前記ホームコンピュータユニットは前記リクエストされた情報をデータソースから抽出するよう適応され、前記抽出されたリクエストされた情報が、前記通信パスに関する帯域幅制約を満たさないか、あるいは前記可動ユニットの利用可能なメモリに適合しない場合、前記ホームコンピュータユニットは前記帯域幅制約を満たし、かつ前記可動ユニットの利用可能なメモリ内に適合するように、前記抽出されたリクエストされた情報のダウンサイズ情報への再構成処理を有効にするよう適応され、前記ホームコンピュータユニットは前記通信パスを介し前記ダウンサイズ情報を前記可動ユニットに送信するよう適応される。
【０００４】
本発明は、ホームコンピュータユニットを提供するステップと、前記ホームコンピュータユニットにより、無線部分を有する通信パスを介し可動ユニットと双方向通信を行うステップと、前記ホームコンピュータユニットにより、前記通信パスを介し前記可動ユニットにより前記ホームコンピュータユニットに送信される前記可動ユニットによる前記ホームコンピュータユニットからの情報に対するリクエストを有する少なくとも１つの信号を受信するステップと、前記ホームコンピュータユニットにより、前記リクエストされた情報をデータソースから抽出するステップと、前記抽出されたリクエストされた情報が前記通信パスに関する帯域幅制約を満たさないか、あるいは前記可動ユニットの利用可能なメモリに適合しない場合、前記ホームコンピュータユニットにより、前記抽出されたリクエストされた情報を前記帯域幅制約を満たし、かつ前記可動ユニットの利用可能なメモリに適合するダウンサイズ情報に再構成処理するステップと、前記ホームコンピュータユニットにより、前記ダウンサイズ情報を前記通信パスを介し前記可動ユニットに送信するステップとを有するデータを通信及び処理するための方法を提供する。
【０００５】
本発明は、コンパクトコンテンツエントリにマッピングされる参照コンテンツエントリを有するマルチメディア辞書を提供し、前記マルチメディア辞書はホームコンピュータユニットに接続され、前記ホームコンピュータユニットは通信パスを介し可動ユニットと双方向通信するよう適応され、前記通信パスの一部は無線であり、前記ホームコンピュータユニットは前記可動ユニットにより前記通信パスを介し前記ホームコンピュータユニットに送信される少なくとも１つの信号を受信するよう適応され、前記少なくとも１つの信号は前記可動ユニットによる前記ホームコンピュータユニットからの情報へのリクエストを有し、前記ホームコンピュータユニットは前記リクエストされた情報をデータソースから抽出するよう適応され、前記抽出されたリクエストされた情報が前記通信パスに関する帯域幅制約を満たさないか、あるいは前記可動ユニットの利用可能なメモリに適合しない場合、前記ホームコンピュータユニットは前記抽出されたリクエストされた情報の前記帯域幅制約を満たし、かつ前記可動ユニットの利用可能なメモリに適合するダウンサイズ情報への再構成処理を有効にするよう適応され、前記ホームコンピュータユニットは前記ダウンサイズ情報を前記通信パスを介し前記可動ユニットに送信するよう適応され、前記ホームコンピュータユニットは前記マルチメディア辞書を利用することにより前記ダウンサイズ情報のモダリティを決定するよう適応され、前記抽出されたリクエストされた情報は前記マルチメディア辞書の参照コンテンツエントリの第１参照コンテンツエントリに関し、前記ダウンサイズ情報は前記第１参照コンテンツエントリが第１コンパクトコンテンツエントリにマッピングされるよう、前記マルチメディア辞書のコンパクトコンテンツエントリの前記第１コンパクトコンテンツエントリに関する。
【０００６】
本発明は、データ通信が効率的、正確、そして遅すぎなくなるよう異なるコンピュータシステムの間のデータ通信システム及び方法を提供する。
【０００７】
図１は、本発明の実施例による通信パス２０を介したホームコンピュータユニット１２と可動ユニット１４とを通信するためのシステム１０のブロック図である。ホームコンピュータユニット１２は、特に、パーソナルコンピュータ、ワークステーション、メインフレームコンピュータなどのような固定された可動式でない任意のコンピュータあるいはコンピュータシステムを有する。ホームコンピュータユニット１２は、特に、家庭やオフィスのような任意の固定された場所に配置されるかもしれない。ホームコンピュータユニット１２は、特に、周辺装置からのデータの計算、記憶及び抽出、ネットワークやデータパス（例えば、通信パス２０）などを介したデータの送受信の様なデータ処理機能を行うことができる。ホームコンピュータユニット１２は、特に、グラフィックスファイルのような大きなファイルに対して「ハードな」計算を実行するための十分な計算パワーを有する。住居に配置される場合、ホームコンピュータユニット１２は、周囲の温度制御、ラジオの再生、テレビの再生、電気回路のスイッチオン・オフのようなタスクの実行が可能であるかもしれない。ホームコンピュータユニット１２は、メモリ（例えば、ＤＲＡＭ（Ｄｙｎａｍｉｃ  Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ハードディスク、光ディスク、フロッピー（登録商標）ディスクなど）、入力装置（たとえば、キーボード、マウス、コンピュータ画面など）、出力装置（プリンタ、プロッタ、コンピュータ画面、磁気テープ、取り外し可能なハードディスク、フロッピー（登録商標）ディスクなど）、及びソフトウェアを実行し、計算を実行し、入出力うちを制御するなどのためのプロセッサのような、コンピュータ及びコンピュータシステムに典型的に見られるハードウェアを有する。
【０００８】
可動ユニット１４は、容易に移動することができる任意の可動装置を有する。可動ユニット１４は、携帯式であってもよいし、ハンドバッグやポケットなどに入れるのに十分小さいものであってもよい。可動ユニット１４は、計算及び論理（例えば、意思決定）の実行およびデータの格納が可能であるが、可動ユニット１４は限られた計算及びデータ格納能力しか持たないため、大きなグラフィックファイルによるかなり大きな計算は不可能である。さらに、可動ユニット１４は、外部のデータベースへのアクセスが限られているか、あるいは不可能であるかもしれず、インターネットへのアクセスも限られたものであるかもしれない。可動ユニット１４の例として、特に、表示画面を有する携帯電話、ＰＤＡ/携帯電話（ここで、ＰＤＡは「Ｐｅｒｓｏｎａｌ  Ｄｉｇｉｔａｌ  Ａｓｓｉｓｔａｎｔ」を表す）などがあげられる。
【０００９】
通信パス２０は、無線部分２２を有し、また有線部分２１を有してもよい。通信パス２０の無線部分２２は、可動ユニット１４に直接接続され、本発明のすべての実施例において存在する。通信パス２０の有線部分２１は、本発明の実施例のすべてではないが一部で存在する。有線部分２１がない実施例では、可動ユニット１４は完全に無線の通信パス２０を介しホームコンピュータユニット１２から信号を受信する携帯電話に類似するかもしれないが、ホームコンピュータユニット１２と可動ユニット１４との間の中間的な中継局を要するかもしれない。有線部分２１が存在する実施例では、可動ユニット１４は、有線部分２１がホームコンピュータユニット１２を起点とし、ユーザ居住地の基地装置を終点とする電話線となるよう無線電話に類似しているかもしれない。ここで、基地装置は基地から小さい半径内にある無線部分２２を介した無線電話である可動ユニット１４に信号を送信する送信機を有する。有線部分は、特に、電話線、ケーブル線などのデータ通信に利用される任意の線を有するかもしれない。有線部分２１がある場合、無線部分２２は有線部分２１より小さいものとなるかもしれない（すなわち、無線部分２２は有線部分２１より直線長さが短くなる）。あるいは、有線部分２１がある場合、無線部分２２は有線部分２１以上であるかもしれない。
【００１０】
通信パス２０は、図２に示されるように双方向の通信パスである。図２は、本発明の実施例による図１の可動ユニット１４と信号を交換する図１のホームコンピュータユニット１２を示す。ホームコンピュータユニット１２は、通信パス２０（図１を参照せよ）を介し可動ユニット１４に信号２６を送信し、可動ユニット１４は、通信パス２０を介しホームコンピュータユニット１２に信号２８を送信してもよい。
【００１１】
ホームコンピュータユニット１２がない場合、可動ユニット１４はインテリジェントフォーン/オーガナイザ以上の機能を有することはないであろう。従って、可動ユニット１４は、通信パス２０を介しホームコンピュータユニット１２がアクセスする情報を受信するためホームコンピュータユニット１２に依存している。図１に示されるように、ホームコンピュータユニット１２は、特に図１０に関連してインフラとして説明されるデータベース１６、インターネット１７、映像データソース１８及びマルチメディア辞書２４に接続及びアクセスする。任意の時点で、可動ユニット１４は、通信パス２０を介し送信される情報へのリクエストをホームコンピュータユニット１２に送信するようにしてもよい。可動ユニット１４の記憶容量（例えば、メモリ）の制限と、通信パス２０に関する帯域幅の制約により、ホームコンピュータユニット１２は可動ユニット１４により作成されるリクエストを満たすことができないかもしれない。ホームコンピュータユニット１２が可動ユニット１４の利用可能な記憶容量と通信パス２０に関する帯域幅の制約を把握していない場合、ホームコンピュータユニット１２と可動ユニット１４との双方向の通信は効果的に利用されるかもしれない。例えば、ホームコンピュータユニット１２は、通信パス２０を介し可動ユニット１４に可動ユニット１４の利用可能な記憶容量及び/または通信パス２０に関する帯域幅制約についての情報を要求するクエリ信号（例えば、図２の信号２６を参照せよ）を送信するかもしれない。可動ユニット１４は、信号２８（図２を参照せよ）ホームコンピュータユニット１２に応答を送信することによりクエリに応答するかもしれない。可動ユニット１４により送信される応答は、可動ユニット１４の利用可能なメモリ及び/または通信パス２０に関する帯域幅制約の詳細を含んでいる。このようなホームコンピュータユニット１２と可動ユニット１４との間のメタデータの通信は、可動ユニット１４により要求された実情報にとって補助的なものである。
【００１２】
通信パス２０に関する帯域幅制約は、通信パス２０に送出可能な１秒あたりの最大ビット数に関して表される通信パス２０の帯域幅（Ｂ）を考慮に入れるかもしれない。可動ユニット１４によりリクエストされる情報が合計Ｓビットにわたるものである場合、通信パス２０を介しホームコンピュータユニット１２から可動ユニット１４への情報の送信時間は、Ｓ／Ｂ秒である。通信パス２０に関する帯域幅制約は、ＢとＳ／Ｂの関連する任意の関数として表されるかもしれない。例えば、帯域幅制約はＳ／Ｂ＜６０秒であるかもしれない。他の例として、帯域幅制約は、リクエストした情報がリアルタイム映像フィード（ｒｅａｌ−ｔｉｍｅ  ｖｉｄｅｏ  ｆｅｅｄ）やリアルタイム放映（ｒｅａｌ−ｔｉｍｅ  ｔｅｌｅｃａｓｔ）（例えば、スポーツイベント）のようなリアルタイムフィードであるときのようなリアルタイム帯域幅制約であるかもしれない。１秒あたりＦビットのデータリアルタイムフィードでは、リアルタイム帯域幅制約はＢ≧Fであるかもしれない。
【００１３】
本発明では、ホームコンピュータユニット１２は、可動ユニット１４から情報のリクエストを受信し、上述のように、可動ユニット１４の利用可能な記憶容量と通信パス２０に関する帯域幅制約について通知される。ホームコンピュータユニット１２は、データソースからリクエストされた情報を抽出する。適用可能なデータソースの例としては、データベース１６、インターネット１７及び映像データソース１８（例えば、映像データフレームや映像データフレームの供給）があげられる。ホームコンピュータユニット１２により抽出されるようなリクエストされた情報が通信パス２０に関する帯域幅制約を満たさない場合、あるいは可動ユニット１４の利用可能なメモリに適合しない場合、本発明によると、ホームコンピュータユニット１２は抽出したリクエスト情報を、帯域幅制約を満たし、可動ユニット１４の利用可能なメモリに適合するように、ダウンサイズ情報（ｄｏｗｎｓｉｚｅｄ  ｉｎｆｏｒｍａｔｉｏｎ）に再構成する。このような「コンテンツ再構成」（「再構成」と省略して呼ばれる）の後、ホームコンピュータユニット１２は通信パス２０を介しこのダウンサイズ情報を可動ユニット１４に送信する。
【００１４】
図３は、抽出したリクエスト情報３０から再構成されたようなダウンサイズ情報３２が、帯域幅制約を満たし、可動ユニット１４の利用可能メモリに適合するために、抽出したリクエスト情報３０より少ないビットサイズとされる（すなわち、抽出したリクエスト情報３０より少ないビットを有する）ことを示す。論理的には、抽出されたリクエスト情報３０は、データソースから文字通り完全に「抽出」される必要はなく、例えば、図１０に関するインフラとして説明されるような図１のマルチメディア辞書２４の利用により、ダウンサイズ情報３２がデータソースのリクエストされたデータに対して直接処理することなく生成することが可能であれば、部分的あるいは全く抽出されなくてもよい。例えば、リクエストされた情報３０がワシントンのホワイトハウスの画像から構成され、マルチメディア辞書２４がリクエストされた情報３０がワシントンのホワイトハウスから構成されるということを示す入力を（例えば、「ホワイトハウス」という単語から、ワシントンのホワイトハウスを特定するアイコンから、など）受け取り、マルチメディア辞書２４がワシントンのホワイトハウスを特定する情報と、さらにワシントンのホワイトハウスを説明する関連するテキストを有する場合、ダウンサイズ情報３２はワシントンのホワイトハウスの画像を実際に抽出する必要なくそのようなテキストを有するよう生成される。
【００１５】
帯域幅制約がリアルタイム帯域幅制約の場合、再構成アルゴリズムの一部またはすべてが、再構成処理の処理時間を最小化するため、ソフトウェアでの実現の代わりに、ハードウェアに埋め込まれるかもしれない（例えば、半導体チップでの高速フーリエ変換アルゴリズム）。
【００１６】
リクエストされた情報３０をダウンサイズ情報３２に再構成する処理は、このリクエスト情報３０のモダリティ（ｍｏｄａｌｉｔｙ）に依存する。「モダリティ」という用語は、視覚モダリティ、音声モダリティ及びテキストモダリティのような表現媒体を示すものである。視覚モダリティとしては、特に、映像モダリティ（例えば、映像フレームのフィードあるいはストリーム）やグラフィックスモダリティ（すなわち、グラフや画像ビットパターンなどの情報の任意の合成グラフィックス表現のような合成画像）があげられる。音声モダリティは、特に、発話や音楽のような音声に関する情報表現を示す。テキストモダリティは、書かれた言語（例えば、単語、文章など）に関する情報表現を示す。
【００１７】
リクエストされた情報のダウンサイズ情報３２への再構成では、このリクエスト情報３０がモダリティＡで表現され、ダウンサイズ情報３２がモダリティＢで表現される。モダリティＡがモダリティＢと等しくなるような再構成処理は、イントラモダリティ再構成（ｉｎｔｒａ−ｍｏｄａｌｉｔｙ  ｒｅｓｔｒｕｃｔｕｒｉｎｇ）と呼ばれる。図４Ａは、視覚モダリティから視覚モダリティへのイントラモダリティ再構成処理を示し、図４Ｂは、音声モダリティから音声モダリティへのイントラモダリティ再構成処理を示し、図４Ｃは、テキストモダリティからテキストモダリティへのイントラモダリティ再構成処理を示す。モダリティＡがモダリティＢと異なるような再構成処理は、クロスモダリティ再構成（ｃｒｏｓｓ−ｍｏｄａｌｉｔｙ  ｒｅｓｔｒｕｃｔｕｒｉｎｇ）と呼ばれる。図５Ａは、視覚モダリティかたテキストモダリティへのクロスモダリティ再構成処理を示し、図５Ｂは、音声モダリティからテキストモダリティへのクロスモダリティ再構成を示す。
【００１８】
情報のリクエストとその後の再構成処理の一例として、可動ユニット１４にアクセスする不動産エージェントはクライアントである買い手に買い手が興味をもつ家の映像を見せたい。通信パス２０に関する帯域幅制約あるいは可動ユニット１４における十分な利用可能メモリがないことにより、不動産エージェントはホームコンピュータユニット１２からその家の視覚表現を得ることができない。代わりに、ホームコンピュータユニット１２は、リクエストされた映像の再構成されたサイズを小さくしたもの（例えば、家に関する視覚情報の等価なテキスト表現）を可動ユニット１４の不動産エージェントに送信する。情報のリクエストとその後の再構成処理の他の例として、可動ユニット１４の救急処置室の医師が２分で患者を処置しなければならず、その患者のデータは他の病院のデータベースにある。通信パス２０に関する帯域幅制約あるいは可動ユニット１４における十分な利用可能メモリがないことにより、医師はホームコンピュータユニット１２からその病院にあるＸ線写真を得ることはできないが、代わりにこのＸ線写真のテキスト記述形態での再構成されたダウンサイズ情報を得ることができるであろう。ここで、与えられた可動ユニット１４は、例えば、不動産のためには日中に、個人の目的（例えば、買い物）では夕方というように、異なる目的に対して異なる時間に利用されてもよい。
【００１９】
図４Ａに示される視覚モダリティのダウンサイズ情報へのイントラモダリティ再構成処理には、特に、階層化モザイクの生成、アニメーション化及びアイコン化を含む様々なテクニックが含まれてもよい。
【００２０】
階層化モザイクは、平面画像に通常である方向に拡張された平面画像である。階層化モザイクは画像表現（例えば、映像フレームシーケンス）に関する限定的情報を符号化する。モザイクは、画像表現内の領域の関連する相対的深さに従って、階層に蓄積される。階層の深さは、異なる深さレベルでオブジェクトをシミュレートする。一般に、複数の連続する映像フレームに現れるオブジェクトは、オブジェクトがモザイク階層により表される映像フレームサブセットを介し時間により変化しないか、あるいは大きくは変化しないとき、モザイク階層として表現されるかもしれない。これは、多くのフレーム（例えば、３００フレーム）が１つのモザイク階層として表されることを可能にし、もとのフレームシーケンスに比較して、再構成処理により通信パス２０を介し送信されるデータ量を大きく低減することが可能となる。
【００２１】
図６は、例示のため、本発明の実施例による視覚モダリティ（例えば、画像あるいはその一部）の階層化されたモザイク構造へのイントラモダリティ再構成処理の結果を斜視的に示す。モザイク構造４０は示されるようなモザイク階層４１〜４５を有する。図６の各モザイク階層は、モザイク階層により表される映像フレームサブセット上で時間的に変化しないか、あるいは大きくは変化しない離散的オブジェクトを有する。例えば、モザイク階層４１の前面４６は、図示されるようなツリー４８を有する。図６の斜視図においては隠れているが、その他のモザイク階層４２〜４５のそれぞれは、モザイク階層により表される映像フレームサブセット上で時間的に変化しないか、あるいは大きくは変化しない１以上の離散的オブジェクト（例えば、家、花壇など）を有する。１つのモザイク階層での多くの映像フレームの表現は、階層化されたモザイク構造４０により表現される映像モダリティのダウンサイズ情報へのイントラモダリティ再構成処理でのデータ量の大幅な減少を容易にする。
【００２２】
モザイク階層は、再帰的アルゴリズムを通じ増加的に生成される。これら再帰的アルゴリズムの各ステップでは、以前のインスタンスで生成されたモザイク階層と映像シーケンスの現在画像を比較することにより、当該モザイクの新しいインスタンスが生成される。
【００２３】
アニメーション化は、自然画像あるいはその一部の複雑な特徴を、動き（例えば、動的映像フィードの連続したフレームに示されるような動き）のスムージング化や空間領域のスムージング化により単純化するプロセスを示す。動きのスムージング化により、多様性の少ない、より一様化されるような、より単純に表現される動きを再構成することが可能になる。空間領域のスムージング化は、特に、カラーのスムージング化、明るさのスムージング化、及びテクスチャのスムージング化のようなスムージングテクニックを有する。
【００２４】
図７Ａは、各々が一様な色（すなわち、一様なグレイシェイド）を有する複数の領域セグメント５１〜５３から構成される、グレイシェイドの変化に関して表現されるカラーバリエーションを有する視覚画像の領域５０を示す。図７Ｂは、本発明の実施例による領域５５において一様なグレイシェイドを獲得するため、カラーバリエーション（すなわち、グレイシェイドのバリエーション）に関してスムージングすることによる領域５５に再構成された後の図７Ａの領域５０を示す。カラーまたはグレイシェイドのスムージング化は、領域５０を表すのに必要なビット数をより容易に減少させるため、スムージング化された領域５５のダウンサイズ情報を表すのにより少ないビットで済む。同様に、画像の特定領域あるいは自然画像の一部における明るさの変化に対するスムージング化は、この特定領域から再構成されたダウンサイズ領域を表すのに必要なビット数をより容易に減少させることができる。
【００２５】
図８Ａは、テクスチャバリエーションを有する自然画像の領域６０を示す。領域６０のテクスチャは、水平方向の直線６１〜６７と垂直方向の直線７１〜７７により画成されるボックスパターンにより表される。図８Ｂは、本発明の実施例によるテクスチャバリエーションに関してスムージングすることによる領域６２への再構成後の図８Ａの領域６０を示す。このスムージング化は、領域６２の得られるボックスパターンが領域６０のボックスパターンより粗になるよう水平方向の直線６２、６４及び６６と垂直方向の直線７２、７４及び７６を取り除くことからなる。従って、テクスチャのスムージング化は、領域６０を表すのに必要なビット数をより容易に減少させ、これによりスムージング化された領域６２のダウンサイズ情報を表すに必要なビット数をより少なくすることができる。
【００２６】
アイコン化は、「アイコン」と呼ばれるシンボルまたはシンボル画像（例えば、グラフィックシンボル）がオブジェクト、実体、アイテムなどを表すプロセスを示す。アイコンは、ユーザがオブジェクト、実体、アイテムなど（例えば、人間を表す棒線画アイコン）を表現するものとして認識できる任意のシンボル表現である。図示された例として、図９は本発明の実施例によるテレビアイコン７０を示す。テレビアイコン７０は、テレビの自然画像を表す。テレビアイコン７０は、テレビの自然画像より少ないビットで記述することができる。従って、アイコン化は、オブジェクト、実態、アイテムなど（例えば、テレビ）を表すのに必要なビット数をより容易に減少させることができ、これによりダウンサイズ情報（例えば、テレビアイコン７０のようなアイコン）を表すのにより少ないビットで済む。
【００２７】
図４Ｂに示される音声モダリティのダウンサイズ情報へのイントラモダリティ再構成は、冗長な音声データを削除するものであり、特に、合成音声による自然音声への表現や当業者に既知の他のテクニックを含む様々なテクニックを有するかもしれない。
【００２８】
図４Ｃに示されるテキストモダリティのダウンサイズ情報へのイントラモダリティ再構成は、特に、要約、第１テキストをとり、第１テキストの解釈である第２テキストを生成する自然言語処理などを含む様々なテクニックを有するかもしれない。当業者には周知のように、テキストをコンパクトに表す任意の方法が本発明により含まれる。
【００２９】
図５Ａに示されるように、視覚モダリティのダウンサイズ情報へのクロスモダリティ再構成処理は、テキストとして画像情報を表すものである。例えば、赤ん坊を見ている女性の画像は、「赤ん坊を見ている女性」というテキストに再構成されるかもしれない。このような視覚モダリティからテキストモダリティへの再構成処理は、利用可能なテキストベースのデータベースを有するソフトウェアにより実現されるかもしれない。そのようなソフトウェアは、画像情報を認識し、この画像情報をデータベースに記憶されているテキストと置き換えるかもしれない。例えば、ニュージャージからマンハッタンまでの映像は部分的にパンニング（ｐａｎｎｉｎｇ）により生成され、ソフトウェアがこの映像の中の建物（例えば、クライスラービルディング、エンパイヤーステートビルディングなど）を認識するかもしれない。これらの建物が認識されると、ソフトウェアは建物の画像表示を「クライスラービルディング」、「エンパイヤーステートビルディング」などの単語により置き換えるかもしれない。視覚モダリティのテキストへのクロスモダリティ再構成処理のためのテキストによる記述は、このテキストによる記述が意味を有する限り、短いことが望ましい。さらに、画像の一部（画像全体に対して）は分離され、テキストにより説明されうる。
【００３０】
図５Ｂに示されるように、音声モダリティのテキストモダリティのダウンサイズ情報へのクロスモダリティ再構成処理は、音声情報をテキストとして表す。例えば、「音声からテキスト」と呼ばれる字幕テキストはこの分野で（例えば、音声認識ソフトウェアで）よく知られたものである。このような音声モダリティからテキストモダリティへのクロスモダリティ再構成は、必要なビットを大きく減らすことができる。なぜなら、一般に音声ファイルは同様のテキストファイルより表示に必要なデータビット数が大きいためである。
【００３１】
イントラモダリティ再構成とクロスモダリティ再構成の両方に関するハイブリッド再構成は、本発明の範囲内のものである。例えば、階層化モザイクはテキスト記述により注釈がつけられ、アニメもまたテキスト記述により注釈がつけられる。このような注釈のテキスト記述は、それが短いものであれば、階層化モザイク、アニメなどに多くのビットを追加しないであろう。
【００３２】
図１０は、本発明の実施例による図１のマルチメディア辞書２４に類似のマルチメディア辞書８０の機能を示す。マルチメディア辞書８０は、あるモダリティから他のモダリティに、あるいはあるモダリティ内でのコンテンツ情報の変換に利用することができる。マルチメディア辞書８０は、同意語、頭字語などを有する。マルチメディア辞書８０は、あるモダリティから他のモダリティへの再構成の方法を記述するものである。従って、図１０のマルチメディア辞書８０では、モダリティＡのコンテンツ情報がモダリティ間あるいはモダリティ内でモダリティＢにマッピング（すなわち、再構成）される。マルチメディア辞書８０は、入力画像を格納し、この格納された入力画像に関連した再構成された出力を記述する。マルチメディア辞書８０の各コンテンツオブジェクトには、テキストまたはメタデータ情報に基づく記述が与えられる。メタデータ情報は独自の形式で生成されてもよいし、あるいは共通して合意された規格（例えば、ＭＰＥＧ−７、ＴＶ−Ａｎｙｔｉｍｅ及び/またはＳＩＭＰＴＥ）に基づくものであってもよい。マルチメディア辞書８０の記述を利用して、異なるモダリティの要素間の再構成は行われるべきである。実際起こるように再構成処理を記録することにより、あるいはある標準的再構成処理を予め計画し、この標準的再構成処理をマルチメディア辞書８０に配置することにより、再構成処理はマルチメディア辞書８０に編入される。従って、マルチメディア辞書８０は、ある再構成処理を標準化するのに利用され、複雑なアルゴリズムを実行する代わりに、以降のテーブル検索により、指定された再構成処理が実効とされる。
【００３３】
再構成処理を実効化するため、本発明は、どのダウンサイズ情報が、特に、以下の第１、第２または第３方法などの任意の適当な方法による再構成処理により生成されるべきか決定する。
【００３４】
どのダウンサイズ情報が再構成処理により生成されるか決定する第１の方法が、図１１のフローチャートに示される。図１１では、ホームコンピュータユニット１２は、Ｎ（Ｎ≧１）個の可能なダウンサイズ情報Ｍ１，Ｍ２，…，ＭＮを確認する。ステップ１１２においてＮ＝１である場合、ステップ１１４においてホームコンピュータユニット１２はＭ１が再構成により生成されるべきダウンサイズ情報であると決定する。しかしながら、ステップ１１２においてＮ＞１である場合、ステップ１１６においてホームコンピュータユニット１２は通信パス２０を介しクエリ信号を可動ユニット１４に送信する。このクエリ信号は、再構成処理により生成される好適なダウンサイズ情報Ｍｋ（ｋ＝１，２，…、N)をＭ１，Ｍ２，…，ＭＮから可動ユニット１４により選択するリクエストを有する。ステップ１１８において、ホームコンピュータユニット１２は通信パス２０を介し可動ユニット１４からクエリリターン信号を受信する。このクエリリターン信号により、Ｍｋが特定される。
【００３５】
どのダウンサイズ情報が再構成処理により生成されるか決定する第２の方法が、図１２のフローチャートに示される。図１２では、ステップ１２０において、ホームコンピュータユニット１２は、各自がＢ１，Ｂ２，…，BN（Ｎ≧１）のビット数を有するＮ個の可能なダウンサイズ情報Ｍ１，Ｍ２，…，ＭＮを確認する。ステップ１２２においてＮ＝１である場合、ステップ１２４においてホームコンピュータユニット１２はＭ１が再構成により生成されるべきダウンサイズ情報であると決定する。しかしながら、ステップ１２２においてＮ＞１である場合、ステップ１２４においてホームコンピュータユニット１２はＢｋ（ｋは、１，２，…，Ｎのうちの１つ）がＢ１，Ｂ２，…，BNの最小値となるように、再構成により生成されるべきダウンサイズ情報としてＭｋを選ぶ。
【００３６】
どのダウンサイズ情報が再構成処理により生成されるか決定する第３の方法が、図１３のフローチャートに示される。図１３では、ステップ１３０において、ホームコンピュータユニット１２は、各自がＢ１，Ｂ２，…，BN（Ｎ≧１）のビット数を有するＮ個の可能なダウンサイズ情報Ｍ１，Ｍ２，…，ＭＮを確認する。ステップ１３２においてＮ＝１である場合、ステップ１３４においてホームコンピュータユニット１２はＭ１が再構成により生成されるべきダウンサイズ情報であると決定する。しかしながら、ステップ１３２においてＮ＞１である場合、ステップ１３６においてホームコンピュータユニット１２はＢｋ（ｋは、１，２，…，Ｎのうちの１つ）がＢ１，Ｂ２，…，BNの最大値となるように、再構成により生成されるべきダウンサイズ情報としてＭｋを選ぶ。
【００３７】
本発明の実施例が例示のためここで説明されてきたが、多くの変更及び変形が当業者には明らかであろう。従って、添付されたクレームは、本発明の真の趣旨及び範囲内のすべての変更及び変形を含むものとされる。
【図面の簡単な説明】
【００３８】
【図１】図１は、本発明の実施例によるホームコンピュータユニットと可動ユニットとの通信のためのシステムのブロック図である。
【図２】図２は、本発明の実施例による図１の可動ユニットと信号を交換する図１のホームコンピュータユニットを示す。
【図３】図３は、本発明の実施例による図１の可動ユニットにより以前にリクエストされた図１のホームコンピュータユニットによりダウンサイズ情報に再構成された抽出情報を示す。
【図４Ａ】図４Ａは、本発明の実施例による視覚モダリティのイントラモダリティ再構成処理を示す。
【図４Ｂ】図４Ｂは、本発明の実施例による音声モダリティのイントラモダリティ再構成処理を示す。
【図４Ｃ】図４Ｃは、本発明の実施例によるテキストモダリティのイントラモダリティ再構成処理を示す。
【図５Ａ】図５Ａは、本発明の実施例による視覚モダリティからテキストモダリティへのクロスモダリティ再構成処理を示す。
【図５Ｂ】図５Ｂは、本発明の実施例による音声モダリティからテキストモダリティへのクロスモダリティ再構成処理を示す。
【図６】図６は、本発明の実施例による視覚モダリティの階層化モザイク構造へのイントラモダリティ再構成の処理結果を斜視的に示す。
【図７Ａ】図７Ａは、グレイシェイドで表されたカラーバリエーションを有する領域を示す。
【図７Ｂ】図７Ｂは、本発明の実施例によるグレイシェイドバリエーションに関するスムーズ処理による再構成後の図７Ａの領域を示す。
【図８Ａ】図８Ａは、テクスチャバリエーションを有する領域を示す。
【図８Ｂ】図８Ｂは、本発明の実施例によるテクスチャバリエーションに関するスムーズ処理による再構成後の図８Ａの領域を示す。
【図９】図９は、本発明の実施例によるテレビアイコンを示す。
【図１０】図１０は、本発明の実施例によるマルチメディア辞書の機能を示す。
【図１１】図１１は、本発明の実施例によるどのダウンサイズ情報が再構成により生成されるか決定する第１の方法を示すフローチャートである。
【図１２】図１２は、本発明の実施例によるどのダウンサイズ情報が再構成により生成されるか決定する第２の方法を示すフローチャートである。
【図１３】図１３は、本発明の実施例によるどのダウンサイズ情報が再構成により生成されるか決定する第３の方法を示すフローチャートである。
【図１】
2005512214.tif 000003
【図２】
2005512214.tif 000004
【図３】
2005512214.tif 000005
【図４Ａ】
2005512214.tif 000006
【図４Ｂ】
2005512214.tif 000007
【図４Ｃ】
2005512214.tif 000008
【図５Ａ】
2005512214.tif 000009
【図５Ｂ】
2005512214.tif 000010
【図６】
2005512214.tif 000011
【図７Ａ】
2005512214.tif 000012
【図７Ｂ】
2005512214.tif 000013
【図８Ａ】
2005512214.tif 000014
【図８Ｂ】
2005512214.tif 000015
【図９】
2005512214.tif 000016
【図１０】
2005512214.tif 000017
【図１１】
2005512214.tif 000018
【図１２】
2005512214.tif 000019
【図１３】
2005512214.tif 000020
【国際調査報告】
2005512214.tif 000021
2005512214.tif 000022
2005512214.tif 000023